(57)【特許請求の範囲】
【請求項１】
連棟型ビニールハウスに用いられる融雪装置であって、
温水を生成する温水ボイラーと、
該温水ボイラーに接続されると共に、屋根の谷部分に沿って配設された煙突と、
該煙突を煙突の延伸方向において所要間隔をあけて保持する煙突保持部材と、
前記煙突に設けられ、前記煙突内の前記温水ボイラーからの排気ガスの排出を促進させる排気促進手段と、
前記温水ボイラーから供給された温水を前記ビニールハウス内に配設された熱交換器に供給する温水配管と、を具備し、
前記温水配管は、
前記熱交換器に通過させた後の前記温水を、直ちに前記温水ボイラーに戻る経路に形成された第１経路と、
前記熱交換器に通過させた後の前記温水を、前記煙突よりも上側位置における前記屋根の表面に前記煙突と平行に延設された後に前記温水ボイラーに戻る経路に形成された第２経路と、
に分岐されていることを特徴とする連棟型ビニールハウスの融雪装置。
【請求項２】
前記屋根上において、前記煙突の上流側と前記第２経路の上流側は、互いに逆側であることを特徴とする請求項１記載の連棟型ビニールハウスの融雪装置。
【請求項３】
前記熱交換器の吹き出し口にはフレキシブル管が取り付けられていることを特徴とする請求項１または２に記載の連棟型ビニールハウスの融雪装置。
【請求項４】
前記温水ボイラーは、前記連棟型ビニールハウスの妻側に配設されていて、
少なくとも前記温水ボイラーに最も近い位置に配設された前記煙突保持部材が断熱材により形成されていることを特徴とする請求項１〜３のうちのいずれか一項に記載の連棟型ビニールハウスの融雪装置。
【請求項５】
前記温水ボイラーは、前記連棟型ビニールハウスに隣接する別棟の建屋内に配設されていることを特徴とする請求項１〜４のうちのいずれか一項に記載の連棟式ビニールハウスの融雪装置。
【発明の詳細な説明】
【技術分野】
【０００１】
本発明は連棟型ビニールハウスの融雪装置に関する。
【背景技術】
【０００２】
連棟型ビニールハウスはハウス内の作業空間を広くすることができると共に、効率的な作業空間を提供することができる点で広く好適に用いられている。しかしながら、積雪地においては、屋根の谷間部分に積もった雪の重さによりビニールハウスが倒壊してしまうおそれがある。このため、積雪地においては連棟型ビニールハウスの構築は積極的になされておらず、効率的な作業空間を得ることができにくい単棟式のビニールハウスを用いざるを得ないというのが実情であった。
【０００３】
近年では、積雪地においても連棟型のビニールハウスの導入を可能にするために、連棟型ビニールハウスの融雪装置に関する提案がいくつかなされている。このような連棟型ビニールハウスの融雪装置としては、例えば、特許文献１や特許文献２に開示されているような構成を有するものが知られている。
【先行技術文献】
【特許文献】
【０００４】
【特許文献１】公開特許公報  特開２０００−１３９２３７号
【特許文献２】公開特許公報  特開２００４−６１号
【発明の概要】
【発明が解決しようとする課題】
【０００５】
特許文献１には、図５に示すように、ダクト部１３の両側にＶ形に傾斜したウイング部１４，１４を一体に設け、このウイング部１４の下方に位置するダクト部１３の両側面に、その長手方向に沿って所定の間隔で温風吹出し口１５，１５，・・・を開口して金属製の温風ダクト１２を形成し、この温風ダクト１２の上面側を屋外に露出させて樋２３を構成すると共に、下面側を温室内に配置して、連棟ハウスの屋根９の谷部１０に取り付け、前記ウイング部１４の上部に屋根用プラスチックフイルム７の下端を接続すると共に、前記ダクト部１３を温風暖房機に接続した融雪装置の構成が開示されている。
【０００６】
また、特許文献２には、図６に示すように、角筒状の透明樹脂フィルムからなる融雪ダクト１の上面および／または側面からは外側に透明樹脂フィルム製の端部ウイング４が延びていて、屋根を構成する透明樹脂フィルムの端部と重ね合わされて用いられ、温暖な空気を給気口２から排気口３に流通させることにより融雪をする構成が開示されている。
【０００７】
特許文献１，２に開示されている融雪装置は、いずれにおいても専用の融雪ダクトを用いているため、新規の連棟型ビニールハウスへの適用は比較的容易であるがコスト高になる傾向がある。また、既存のビニールハウスへ上述の融雪装置を適用しようとする場合には、既存のビニールハウスの屋根の谷部分に対する加工処理が必要となるため、新規ビニールハウスへの適用時よりもさらにコスト高になってしまうという課題がある。
【０００８】
そこで本発明は、専用の融雪ダクトを用いることなく連棟型ビニールハウスの屋根に設置が可能であると共に、既存の連棟型ビニールハウスに配設する場合であっても、最小限の加工処理を施すだけで配設が可能であり、低コストで提供することができる連棟型ビニールハウスの融雪装置の提供を目的としている。
【課題を解決するための手段】
【０００９】
上記課題を解決するために本発明者は鋭意研究を行った結果、以下の構成に想到した。
すなわち、連棟型ビニールハウスに用いられる融雪装置であって、温水を生成する温水ボイラーと、該温水ボイラーに接続されると共に、屋根の谷部分に沿って配設された煙突と、該煙突を煙突の延伸方向において所要間隔をあけて保持する煙突保持部材と、前記煙突に設けられ、前記煙突内の前記温水ボイラーからの排気ガスの排出を促進させる排気促進手段と、前記温水ボイラーから供給された温水を前記ビニールハウス内に配設された熱交換器に供給する温水配管と、を具備し、前記温水配管は、前記熱交換器に通過させた後の前記温水を、直ちに前記温水ボイラーに戻る経路に形成された第１経路と、前記熱交換器に通過させた後の前記温水を、前記煙突よりも上側位置における前記屋根の表面に前記煙突と平行に延設された後に前記温水ボイラーに戻る経路に形成された第２経路と、に分岐されていることを特徴とする連棟型ビニールハウスの融雪装置である。
【００１０】
また、前記屋根上において、前記煙突の上流側と前記第２経路の上流側は、互いに逆側であることが好ましい。これにより屋根の表面における熱勾配を可及的に低くすることができ、融雪状態のばらつきを抑えることができる。
【００１２】
また、前記熱交換器の吹き出し口にはフレキシブル管が取り付けられていることが好ましい。これにより、熱交換機の吹き出し口から放出される熱エネルギーをビニールハウスの内部空間の任意の位置に向けて供給することができるため、ビニールハウスの内部空間の加熱ムラを可及的に少なくすることができる。また、フレキシブル管の先端部をビニールハウスの屋根に向ければ、熱交換器から放出される熱によっても融雪処理を行うことができ、より確実な融雪を行うことができる点で好都合である。
【００１３】
また、前記温水ボイラーは、前記連棟型ビニールハウスの妻側に配設されていて、少なくとも前記温水ボイラーに最も近い位置に配設された前記煙突保持部材が断熱材により形成されていることが好ましい。これにより、温水ボイラーから排出された直後の高温の排気ガスを融雪処理に有効利用することができる。また高温の排気ガスによりビニールハウスの表面が溶融してしまうことを防止することができる。
【００１４】
さらに、前記温水ボイラーは、前記連棟型ビニールハウスに隣接する別棟の建屋内に配設されていることが好ましい。これにより、積雪時においても確実に温水ボイラーを運転させることができる。
【発明の効果】
【００１５】
本発明にかかる連棟型ビニールハウスの融雪装置の構成によれば、専用の融雪ダクトなどのような高価な専用部品が不要であるから低コストで連棟型ビニールハウスの融雪装置を提供することができる。また、既存の連棟型ビニールハウスに融雪装置を設置する場合であっても、ビニールハウスに対する加工処理を最小限に抑えることができ、容易に設置することができる。
【図面の簡単な説明】
【００１６】
【図１】本実施形態にかかる融雪装置の煙突の配設状態を示す斜視図である。
【図２】本実施形態にかかる融雪装置の温水配管の配設状態を示す斜視図である。
【図３】本実施形態にかかる融雪装置の屋根の谷部分の状態を示す断面図である。
【図４】ラジエターの概略構造を示す説明正面図である。
【図５】特許文献１における融雪装置の概略構成を示す説明図である。
【図６】特許文献２における融雪装置の概略構成を示す説明図である。
【発明を実施するための形態】
【００１７】
以下、本発明にかかる連棟型ビニールハウスの融雪装置（以下、単に融雪装置という）の実施形態について図面に基づいて説明する。
本実施形態にかかる融雪装置１００は、ビニールハウス１０と、温水ボイラー２０と、温水ボイラー２０に接続され、ビニールハウス１０の屋根１２に配設された煙突３０と、温水ボイラー２０からの温水を流通させる温水配管４０と、ビニールハウス１０の内部空間に配設され、温水配管４０が接続された熱交換器であるラジエター５０とを備えている。
【００１８】
図１からも明らかなとおり、本実施形態におけるビニールハウス１０は、いわゆる連棟型のビニールハウス１０である。このような連棟型のビニールハウス１０の構成は公知の構成を採用することができるので、ここでの詳細な構成についての説明は省略する。なお屋根１２は合成樹脂製シート（いわゆるビニールシート）であり、谷部分１６は金属製の樋である。本実施形態においては３つの棟が一体に形成された連棟型のビニールハウス１０を用いて説明を行うが、この実施形態に限定されるものではなく、２つの棟が一体に形成された形態の他、４つ以上の棟が一体に形成された形態を採用することも可能である。
【００１９】
ビニールハウス１０の一方の妻面１４には、妻面１４に隣接させた状態で温水ボイラー２０が配設されている。温水ボイラー２０に用いる燃料としては、例えば茸の人工栽培後に生じる廃培地（いわゆる廃オガ）を原料とする木質ペレットを用いることができる。温水ボイラー２０に対する木質ペレットの供給は、図示しない燃料ペレット自動供給手段により行なうことができる。このように温水ボイラー２０の燃料源として茸の人工栽培後に生じた廃培地をペレット化した固形燃料として用いることにより、廃培地をバイオマス（バイオマスエネルギー）として利用することができ、温水ボイラー２０を運転することによって排出される二酸化炭素をカーボンニュートラルにすることができる点において好都合である。
【００２０】
本実施形態における温水ボイラー２０には、複数本に分岐された筒状の煙突３０，３０が接続されている。ここでの煙突３０の分岐数は、ビニールハウス１０の屋根１２の谷部分１６の数である２とした。温水ボイラー２０と煙突３０との間には、煙突３０内における温水ボイラー２０の排気ガスの排出を促進させるための排気促進手段として排気ファン６０が配設されている。排気ファン６０としてはいわゆる耐熱ファンが好適に用いられる。本実施形態においては、２本の煙突３０のそれぞれに排気ファン６０，６０を配設しているが、排気ファン６０の排気能力によっては温水ボイラー２０から排気ファン６０までの間は１本の煙突３０とし、排気ファン６０の下流側から煙突３０を２経路に分岐させる形態を採用してもよい。
【００２１】
温水ボイラー２０に接続された２本の煙突３０，３０は、ビニールハウス１０の屋根１２の谷部分１６，１６に沿って延設されている。ビニールハウス１０の屋根１２の谷部分１６の地表面からの高さ位置は、ビニールハウス１０の奥行き方向に（温水ボイラー２０側から離反するに伴って）徐々に高くなるように形成されている。これにより雪が溶けて生じた水を即座に排水処理させることで、屋根上の荷重を可及的に少なくすることができる点においても都合がよい。
【００２２】
また、図３に示すように、ビニールハウス１０の屋根１２の谷部分１６にはビニールハウス１０の奥行き方向に所要間隔をあけて煙突保持部材３２が配設されている。煙突３０は、図３に示すように煙突保持部材３２に締結具３４を用いて固定されている。このように締結具３４を用いることで煙突３０が中途位置で着脱しやすくなるから、落雪等により破損した煙突３０の交換作業を容易に行うことができる点で都合がよい。
【００２３】
この煙突保持部材３２は、同一高さ寸法に形成されているので、煙突３０は谷部分１６の表面から一定の距離離間させた状態で保持されることになる。すなわち、煙突３０は谷部分１６の傾斜と等しい傾斜状態になるので、温水ボイラー２０から離反するにつれて地表面からの設置高さ位置は徐々に高くなる。これにより煙突３０内を流通する排気ガスの排出が促進され好都合である。また、少なくとも最も温水ボイラー２０側に配設されている煙突保持部材３２については、断熱性の高い材料により形成されていることが好ましい。このような煙突保持部材３２を採用することで、温水ボイラー２０から排出された直後の高温の排気ガスの熱によりビニールハウス１０の表面が溶融してしまうことを防止することができる。
【００２４】
また、温水ボイラー２０には温水を供給するための温水配管４０が接続されている。図２に示すように温水配管４０は、第１経路４２と第２経路４４とを有している。第１経路４２は、温水ボイラー２０から供給された温水を温水ボイラー２０からビニールハウス１０内に配設された熱交換器であるラジエター５０に供給させた後、直ちに温水ボイラー２０に戻る経路に形成されている。第２経路４４は、温水を温水ボイラー２０からラジエター５０に通過させた後、さらにビニールハウス１０の内部空間を縦断して他方側の妻面１５からビニールハウス１０の外に出た後、屋根１２の外表面上に沿って妻面１４に延伸し、温水ボイラー２０に戻る経路に形成されている。
【００２５】
図３に示すように、第２経路４４は、他方側の妻面１５から一方側の妻面１４に戻る際に二又に分岐した後、屋根１２の表面上において煙突３０の設置高さ位置よりも上側位置で煙突３０に平行となるように配設されている。第２経路４４は、ビニールハウス１０の骨組み材であるアーチパイプに取り付け具を介して取り付けられたビニペット（登録商標）に装着されたマイカ（登録商標）に、結束バンド等の締結材を用いて取り付けすることができる。このような第２経路４４の配列を採用することにより、第２経路４４による雪止め効果を期待することができる。これと同時に融雪処理形態は、第２経路４４からの熱により融雪処理を行うと共に、煙突３０からの熱によっても融雪処理が施される形態となり、効率的な融雪処理を行うことができる点において好都合である。このような複数の融雪処理は、融雪処理を効率的に行うことができることに加え、一旦溶けた雪が外気に晒されて凍結してしまうことを防止することができる点で好都合である。
【００２６】
温水配管４０に接続されているラジエター５０は、温水配管４０から供給された温水の熱をビニールハウス１０の内部空間に放出するためのものである。図４はラジエター５０の概略構成を示す説明正面図である。図４において破線であらわされている部分は、ラジエター５０の外側から直接視認することができない構成である。
ラジエター５０は、直方体形状に形成された本体部５２の内部空間に蛇行させた状態で温水配管４０を収容し、正面側に設けられた３か所の吹き出し口５４に向けて背面側に配設された送風ファン５６から送風を行うことにより、吹き出し口５４から温風を噴出させるものである。なお、吹き出し口５４の配設数は３つに限定されるものではない。
【００２７】
このラジエター５０には、温水配管４０を収容することでビニールハウス１０の内部空間に温風を供給する形態となっているが、温水配管４０の他に、地下水を供給させるための地下水配管（図示せず）を配設してもよい。この地下水配管によれば年中を通じて一定の水温である地下水の熱エネルギーを利用した冷風または温風を吹き出すラジエター５０にすることができ、温水ボイラー２０の運転を停止や短縮をすることができるため、ビニールハウス１０の内部空間の空調に要するエネルギーの削減に貢献することができる。地下水配管を配設する際には、ビニールハウス１０の近くに井戸および地下水ポンプ（いずれも図示せず）の配設も合わせて行うことが好ましい。また、地下水配管はラジエター５０を通過させた後、第２経路４４と同様にビニールハウス１０内を延伸させ、屋根１２の表面で第２経路４４に隣接させた状態で配設した後、温水ボイラー２０側の妻面１４位置で排水処理すればよい。
【００２８】
さらには、吹き出し口５４の先端部分に合成樹脂製のフレキシブル管７０を装着してもよい。これによりラジエター５０の吹き出し口５４から噴出する温風または冷風をフレキシブル管７０により任意の向きに放出させることができる。このような構成を採用することで、ビニールハウス１０の内部空間に万遍なく温風または冷風を供給することができる点において好都合である。また、フレキシブル管７０の先端部を屋根１２に向ければ、ビニールハウス１０の屋根１２を内部空間側から積極的に融雪処理をすることができる。さらには、ビニールハウス１０の内部空間で作業を行う人に向けて噴出させることもでき、作業者の作業環境を向上させることもできる点で好都合である。
【００２９】
次に本実施形態にかかる連棟型ビニールハウス１０の融雪装置１００の具体的な動作を説明する。
温水ボイラー２０に供給された廃オガペレットによりボイラーを燃焼させ温水を生成する。温水ボイラー２０に接続された温水配管４０を経由して温水がラジエター５０に供給される。ラジエター５０では送風ファン５６が温水配管４０に風を吹き付けて吹き出し口５４から温風を噴出させる。ラジエター５０から供給される温風により、ビニールハウス１０の内部空間が加熱される。場合によっては吹き出し口５４に装着されたフレキシブル管７０により任意の向きに温風を噴出させることもできる。
【００３０】
温水配管４０は、ラジエター５０を通過した後、第１経路４２および第２経路４４に分岐される。第１経路４２は、ラジエター５０を通過した後、ビニールハウス１０の内部空間を温水ボイラー２０に向けて戻る経路に形成され、温水を直ちに温水ボイラー２０により再加熱させる経路である。第２経路４４は、ラジエター５０を通過した後、他方の妻面（温水ボイラー２０側の妻面１４と対向する妻面）１５に向かってビニールハウス１０の内部空間に延設され、他方の妻面１５から外部空間に出て屋根１２に上る際に二又に分岐し、屋根１２の表面上において煙突３０の上側位置を煙突３０と平行な配列で温水ボイラー２０に向って戻る経路に形成されている。すなわち第２経路４４を流れる温水は、ビニールハウス１０の内部空間を加熱した後に融雪処理も行うことになる。
【００３１】
第１径路４２は、ビニールハウス１０の内部空間の加熱（および屋根１２の内側からの間接的な融雪）を行い、第２経路４４は、ビニールハウス１０の内部空間を加熱すると共に、屋根１２の融雪を直接的に行うことになり、温水の熱エネルギーを余すことなく利用することができる。
【００３２】
また、温水ボイラー２０における排気ガスは、排気ファン６０により流速を増加させた状態で煙突３０に供給されている。煙突３０はビニールハウス１０の屋根１２の谷部分１６に沿って配設されているので、数十度の温水が循環する第２経路４４により融雪を行なった後に、百数十度の排気ガスが流通する煙突３０により融雪がなされ、確実な融雪を行うことができる。このように最初の融雪を比較的低温で行うことで屋根１２の谷部分１６に徐々に雪を落とし込み、高温の煙突３０の排熱により確実に融雪を行うことができる点が特徴的であるといえる。また、煙突３０内を流通する排気ガスの流速を高速にすることで、温水ボイラー２０側からの熱エネルギー放出の偏りを軽減させていると共に、煙突３０の上流位置と第２経路４４の上流位置を互いに反対側に設定していることで、屋根１２の融雪を行う際の熱エネルギー放出量が均等になる点も特徴的である。
以上に説明した融雪装置１００によって融雪処理されて生じた水は、屋根１２の谷部分１６の勾配に沿って直ちにビニールハウス１０の屋根１２から排水処理されることになる。
【００３３】
以上に、本実施形態にかかる融雪装置１００について説明をしたが、本願発明にかかる融雪装置１００は、以上の実施形態に限定されるものではないのはもちろんである。例えば、本実施形態においては温水ボイラー５０の燃料として、茸の人工栽培後に発生した廃培地（廃オガ）を原料としたペレットを用いているが、間伐材や製材時に生じる端材等を原料とした木質ペレットはもちろんのこと、廃培地（廃オガ）や端材等を直接燃焼させることもできる。さらには、重油や灯油、天然ガス等に代表される化石燃料を用いることも可能である。また、ビニールハウス１０に隣接してビニールハウス１０とは別棟で構築した建屋（図示せず）に温水ボイラー２０を配設するようにしてもよい。温水ボイラー２０をこのような建屋に配設することで、木質ペレットの貯留が可能になると共に、気象状況にかかわらず安定した状態で温水ボイラー２０を稼働させることができる。
【００３４】
また、本実施形態においては、一台の温水ボイラー２０で複数の屋根１２の谷部分１６に配設した煙突３０に排気ガスを供給する形態について説明しているが、積雪量が少ない地域においては、一台の温水ボイラー２０で３つ以上の谷部分１６に配設した煙突３０に排ガスを供給する形態とすることもできる。これとは逆に、積雪量の多い地域においては、一つの谷部分１６に配設した煙突３０に単数または複数の温水ボイラー２０からの排気ガスを供給する形態を採用してもよい。
また、煙突３０は煙突保持部材３２と締結具３４によりビニールハウス１０の屋根１２の谷部分１６に取り付けられているが、煙突３０の固定保持部分を具備する煙突保持部材３２を採用すれば、締結具３４は省略することもできる。
【００３５】
さらには、屋根１２の表面に第２経路４４に隣接させた地下水配管を配設した際に、地下水配管から屋根１２の表面に散水させる形態を採用してもよい。
【符号の説明】
【００３６】
１０  ビニールハウス
１２  屋根
１４，１５  妻面
１６  谷部分
２０  温水ボイラー
３０  煙突
３２  煙突保持部材
３４  締結具
４０  温水配管
４２  第１経路
４４  第２経路
５０  ラジエター
５２  本体部
５４  吹き出し口
５６  ファン
６０  排気ファン
７０  フレキシブル管
１００  融雪装置
【図１】
0005786242.tif 000002
【図２】
0005786242.tif 000003
【図３】
0005786242.tif 000004
【図４】
0005786242.tif 000005
【図５】
0005786242.tif 000006
【図６】
0005786242.tif 000007